(57)【要約】【課題】表示画面の４隅が暗く表示されるのを抑制することが可能な表示装置を提供する。【解決手段】この液晶テレビジョン装置（表示装置）１００は、ＬＥＤ７からの光を表示部１側に反射する反射シート１０を備える。反射シート１０は、リアフレーム４の表面上に配置される矩形状の底面部１１と、底面部１１の４辺を取り囲むように配置される一対の長辺側側面部１２および一対の短辺側側面部１３とを含むように、長辺側側面部１２および短辺側側面部１３の境界部分が折り曲げられている。短辺側側面部１３の中央部近傍には、短辺側側面部１３を第１部分１３ａおよび第２部分１３ｂに分離する第１スリット１５が形成されているとともに、第１部分１３ａおよび第２部分１３ｂの第１スリット１５側の端部近傍が互いにオーバーラップするように配置されている。【選択図】図５
2014153395.tif 000002
【特許請求の範囲】
【請求項１】
表示部と、
前記表示部の背面側に配置され、前記表示部に光を照射する光源と、
前記光源を背面側から支持する背面側支持部材と、
前記光源からの光を前記表示部側に反射する反射シートとを備え、
前記反射シートは、前記背面側支持部材の表面上に配置される矩形状の底面部と、前記矩形状の底面部の４辺を取り囲むように配置される４つの側面部とを含むように、前記４つの側面部の境界部分が折り曲げられており、
前記４つの側面部のうちの少なくとも１つの側面部の中央部近傍には、前記１つの側面部を第１部分および第２部分に分離する第１スリットまたは折り目が形成されているとともに、前記第１部分および前記第２部分の前記第１スリットまたは折り目側の端部近傍が互いにオーバーラップするように配置されている、表示装置。
【請求項２】
前記第１部分および前記第２部分を有する前記１つの側面部と前記底面部との間には、第２スリットが形成されており、
前記第１部分および前記第２部分の前記第２スリット側の端部には、それぞれ、前記底面部の前記第２スリット側の端部の背面に係合する第１係合部および第２係合部が設けられている、請求項１に記載の表示装置。
【請求項３】
前記第１部分および前記第２部分の前記底面部とは反対側の外周部には、前記背面側支持部材の外周部に取り付けられる耳部が形成されており、
前記第１部分および前記第２部分の前記第１スリット側の端部近傍が互いにオーバーラップするように配置された状態で、前記第１部分および前記第２部分の前記外周部に形成された前記耳部が互いにオーバーラップしないように、前記第１部分および前記第２部分の少なくとも一方の前記外周部に形成された前記耳部の前記第１スリット側の端部近傍が除去されている、請求項１または２に記載の表示装置。
【請求項４】
前記第１部分および前記第２部分のうち、前記底面部とは反対側の外周部の前記第１スリットの延びる方向と交差する方向の長さが大きい方が上側に配置されるように、前記第１部分および前記第２部分の前記第１スリット側の端部近傍が互いにオーバーラップするように配置されている、請求項１〜３のいずれか１項に記載の表示装置。
【請求項５】
前記底面部は、一対の長辺および一対の短辺を有する長方形形状に形成されており、
前記第１スリットは、前記底面部の前記一対の短辺に対応する一対の前記側面部のうちの少なくとも一方に形成されている、請求項１〜４のいずれか１項に記載の表示装置。
【請求項６】
前記第１スリットは、前記底面部の前記一対の短辺に対応する前記一対の側面部の両方に形成されている、請求項５に記載の表示装置。
【請求項７】
前記反射シートは、前記矩形状の底面部と前記４つの側面部とを含むように、前記４つの側面部の境界部分に形成され、形成時の開口が閉じられたミシン目に沿って折り曲げられており、
前記４つの側面部のうちの少なくとも１つの側面部の中央部近傍には、前記１つの側面部を前記第１部分および前記第２部分に分離する前記第１スリットが形成されているとともに、前記第１部分および前記第２部分の前記第１スリット側の端部近傍が互いにオーバーラップするように配置されている、請求項１〜６のいずれか１項に記載の表示装置。
【発明の詳細な説明】
【技術分野】
【０００１】
この発明は、表示装置に関し、特に、光源からの光を表示部側に反射する反射シートを備えた表示装置に関する。
【背景技術】
【０００２】
従来、光源からの光を表示部側に反射する反射シートを備えた表示装置が知られている（たとえば、特許文献１参照）。
【０００３】
上記特許文献１には、光源からの光を液晶セル（表示部）側に反射する凹形状（平面視において矩形状）のシート体（反射シート）を備えた直下型バックライト装置（表示装置）が開示されている。この表示装置では、シート体は、矩形状の底面部と、矩形状の底面部の４辺を取り囲むように配置される４つの側面部とを含むように折り曲げられている。具体的には、シート体が平板状に展開された状態で、シート体の４隅（４つの側面部の境界部分）には、スリットが形成されている。そして、このスリットを介して隣接する２つの側面部の端辺同士が接触するようにシート体が折り曲げられることによって、シート体が凹形状に形成されている。
【先行技術文献】
【特許文献】
【０００４】
【特許文献１】特開２０１０−４９８４６号公報
【発明の概要】
【発明が解決しようとする課題】
【０００５】
しかしながら、上記特許文献１に開示された直下型バックライト装置（表示装置）では、シート体（反射シート）の４隅（４つの側面部の境界部分）にスリットが形成されているため、スリットを介して隣接する２つの側面部の端辺同士が接触するようにシート体が折り曲げられていても、その接触部分（２つの側面部の境界部分）に隙間が生じやすい。このため、光源からの光がシート体の４隅に生じた隙間を介して漏れやすくなり、表示画面の４隅が暗く表示される場合がある。
【０００６】
この発明は、上記のような課題を解決するためになされたものであり、この発明の１つの目的は、表示画面の４隅が暗く表示されるのを抑制することが可能な表示装置を提供することである。
【課題を解決するための手段】
【０００７】
上記目的を達成するために、この発明の一の局面による表示装置は、表示部と、表示部の背面側に配置され、表示部に光を照射する光源と、光源を背面側から支持する背面側支持部材と、光源からの光を表示部側に反射する反射シートとを備え、反射シートは、背面側支持部材の表面上に配置される矩形状の底面部と、矩形状の底面部の４辺を取り囲むように配置される４つの側面部とを含むように、４つの側面部の境界部分が折り曲げられており、４つの側面部のうちの少なくとも１つの側面部の中央部近傍には、１つの側面部を第１部分および第２部分に分離する第１スリットまたは折り目が形成されているとともに、第１部分および第２部分の第１スリットまたは折り目側の端部近傍が互いにオーバーラップするように配置されている。
【０００８】
この発明の一の局面による表示装置では、上記のように構成することによって、反射シートを底面部と４つの側面部とを含むように折り曲げるために、反射シートの４隅（４つの側面部の境界部分）にスリットを形成する必要がないので、反射シートの４隅に隙間が生じることがない。これにより、反射シートの４隅に照射される光が漏れることなく全て反射されるので、表示画面の４隅が暗く表示されるのを抑制することができる。また、４つの側面部のうちの少なくとも１つの側面部の中央部近傍に、１つの側面部を第１部分および第２部分に分離する第１スリットを形成し、第１部分および第２部分の第１スリット側の端部近傍を互いにオーバーラップするように配置することによって、第１スリットを介して隣接する第１部分および第２部分の端辺同士が互いに接触するように配置される場合と異なり、第１部分と第２部分との境界部分に隙間ができるのを抑制することができるので、光源からの光が第１部分と第２部分との境界部分の隙間から漏れるのを抑制することができる。これによっても、表示画面が暗く表示されるのを抑制することができる。
【０００９】
上記一の局面による表示装置において、好ましくは、第１部分および第２部分を有する１つの側面部と底面部との間には、第２スリットが形成されており、第１部分および第２部分の第２スリット側の端部には、それぞれ、底面部の第２スリット側の端部の背面に係合する第１係合部および第２係合部が設けられている。このように構成すれば、第１部分および第２部分にそれぞれ設けられた第１係合部および第２係合部と、底面部の第２スリット側の端部の背面とが係合することによって、第１部分および第２部分を有する側面部と底面部との間の第２スリットが広がって大きくなるのが抑制されるので、光源からの光が第２スリットを介して漏れるのを抑制することができる。また、第２スリットが広がって大きくなることに起因して、第１部分と第２部分との重なりが解除されるのを抑制することもできる。
【００１０】
上記一の局面による表示装置において、好ましくは、第１部分および第２部分の底面部とは反対側の外周部には、背面側支持部材の外周部に取り付けられる耳部が形成されており、第１部分および第２部分の第１スリット側の端部近傍が互いにオーバーラップするように配置された状態で、第１部分および第２部分の外周部に形成された耳部が互いにオーバーラップしないように、第１部分および第２部分の少なくとも一方の外周部に形成された耳部の第１スリット側の端部近傍が除去されている。このように構成すれば、第１部分および第２部分の第１スリット側の端部近傍が互いにオーバーラップするように配置された場合でも、第１部分および第２部分の外周部に形成された耳部の第１スリット側の端部近傍が互いにオーバーラップしないので、第１部分および第２部分の外周部における耳部の厚みの均一化を図ることができる。
【００１１】
上記一の局面による表示装置において、好ましくは、第１部分および第２部分のうち、底面部とは反対側の外周部の第１スリットの延びる方向と交差する方向の長さが大きい方が上側（内側）に配置されるように、第１部分および第２部分の第１スリット側の端部近傍が互いにオーバーラップするように配置されている。このように構成すれば、第１部分および第２部分のうちの撓みやすい方（底面部とは反対側の外周部の第１スリットの延びる方向と交差する方向の長さが大きい方）が、第１部分および第２部分のうちの撓みにくい方（底面部とは反対側の外周部の第１スリットの延びる方向と交差する方向の長さが小さい方）によって下側（外側）から支持されるので、反射シートの形状の安定化を図ることができる。また、このように反射シートの形状の安定化を図ることにより、第１部分と第２部分との間に隙間が生じるのを抑制することができるので、光源からの光が第１部分と第２部分との間の隙間から漏れるのを抑制することができる。
【００１２】
上記一の局面による表示装置において、好ましくは、底面部は、一対の長辺および一対の短辺を有する長方形形状に形成されており、第１スリットは、底面部の一対の短辺に対応する一対の側面部のうちの少なくとも一方に形成されている。このように構成すれば、底面部の長辺に対応する側面部に第１スリットを形成する場合と異なり、第１スリットにより分離される２つの部分（第１部分および第２部分）の外周部のそれぞれの第１スリットの延びる方向と交差する方向の長さが小さくなるので、第１部分および第２部分を撓みにくくすることができる。これにより、反射シートの形状の安定化をより図ることができる。
【００１３】
この場合、好ましくは、第１スリットは、底面部の一対の短辺に対応する一対の側面部の両方に形成されている。このように構成すれば、第１スリットが底面部の一対の短辺に対応する一対の側面部の一方にのみ形成されている場合と異なり、互いにオーバーラップするように配置される第１部分および第２部分が底面部の一対の短辺の両側にバランスよく配置されるので、反射シートの形状の安定化をさらに図ることができる。
【００１４】
上記一の局面による表示装置において、好ましくは、反射シートは、矩形状の底面部と４つの側面部とを含むように、４つの側面部の境界部分に形成され、形成時の開口が閉じられたミシン目に沿って折り曲げられており、４つの側面部のうちの少なくとも１つの側面部の中央部近傍には、少なくとも１つの側面部を第１部分および第２部分に分離する第１スリットが形成されているとともに、第１部分および第２部分の第１スリット側の端部近傍が互いにオーバーラップするように配置されている。このように構成すれば、ミシン目の形成時の開口が閉じられていることによって、ミシン目から光が漏れるのを抑制しながら、ミシン目に沿って反射シートを折り曲げることによって、容易に、矩形状の底面部と４つの側面部とを含む反射シートを構成することができる。
【発明の効果】
【００１５】
本発明によれば、上記のように、表示画面の４隅が暗く表示されるのを抑制することができる。
【図面の簡単な説明】
【００１６】
【図１】本発明の一実施形態による液晶テレビジョン装置の全体構成を示した斜視図である。
【図２】図１に示した液晶テレビジョン装置の背面図である。
【図３】図２の５０−５０線に沿った模式的な断面図である。
【図４】本発明の一実施形態によるリアフレーム、ヒートシンク、ＬＥＤ基板、反射シートおよび拡散レンズを示した分解斜視図である。
【図５】本発明の一実施形態による反射シートが平板状に展開された状態を示した展開図である。
【図６】図５に示した反射シートの第１スリットおよび第２スリットを示した拡大図である。
【図７】図５に示した反射シートをリアフレームに沿った形状に折り曲げた状態を示した拡大斜視図である。
【図８】本発明の一実施形態の第１変形例による反射シートの展開図である。
【図９】本発明の一実施形態の第２変形例による反射シートの展開図である。
【図１０】本発明の一実施形態の第３変形例による反射シートの展開図である。
【図１１】本発明の一実施形態の第４変形例による反射シートの展開図である。
【図１２】本発明の一実施形態の第５変形例による反射シートの展開図である。
【図１３】本発明の一実施形態の第６変形例による反射シートの展開図である。
【図１４】本発明の一実施形態の第７変形例による反射シートの展開図である。
【発明を実施するための形態】
【００１７】
以下、本発明の実施形態を図面に基づいて説明する。
【００１８】
まず、図１〜図７を参照して、本発明の一実施形態による液晶テレビジョン装置１００の構成について説明する。なお、液晶テレビジョン装置１００は、本発明の「表示装置」の一例である。
【００１９】
図１および図２に示すように、液晶テレビジョン装置１００は、映像が表示される液晶セルからなる表示部１と、表示部１を正面側（矢印Ｙ１方向側）から支持する樹脂製の前部筐体２と、液晶テレビジョン装置１００を下方（矢印Ｚ２方向側）から支持する樹脂製のスタンド部材３とを備える。前部筐体２は、正面から見て（矢印Ｙ１方向側から見て）矩形状の外形を有する枠状に形成されている。具体的には、前部筐体２の中央部近傍には、表示部１を露出させるための矩形状の開口部２ａが設けられている。また、図３に示すように、前部筐体２は、前方（矢印Ｙ１方向）に窪む凹形状に形成されている。
【００２０】
また、図２および図３に示すように、液晶テレビジョン装置１００は、表示部１を背面側（矢印Ｙ２方向側）から支持する板金製のリアフレーム４を備える。このリアフレーム４は、前部筐体２の背面側に嵌り込む矩形状の外形を有する。また、リアフレーム４は、後方（矢印Ｙ２方向）に窪む凹形状に形成されている。なお、リアフレーム４は、ネジ部材（図示せず）によって前部筐体２に固定されている。また、リアフレーム４の背面側には、リアフレーム４よりも小さい矩形状を有する樹脂製のカバー部材５が配置されている。カバー部材５は、リアフレーム４の背面に配置される電源基板や信号処理基板などの種々の基板（図示せず）を覆うように設けられている。また、カバー部材５は、ネジ部材（図示せず）によってリアフレーム４に固定されている。これらリアフレーム４およびカバー部材５によって、前部筐体２に対応する後部筐体が構成されている。なお、リアフレーム４は、本発明の「背面側支持部材」の一例である。
【００２１】
図３に示すように、リアフレーム４の表面（矢印Ｙ１方向側の面）には、板金製のヒートシンク６が配置されている。また、ヒートシンク６の表面には、表示部１に背面側（矢印Ｙ２方向側）から光を照射するＬＥＤ（Ｌｉｇｈｔ  Ｅｍｉｔｔｉｎｇ  Ｄｉｏｄｅ）７が実装されたＬＥＤ基板８が配置されている。図４に示すように、ＬＥＤ７は、ＬＥＤ基板８の表面に、ＬＥＤ基板８の延びる方向（Ｘ方向）に沿って間隔を隔てて複数実装されている。なお、ＬＥＤ７は、本発明の「光源」の一例である。
【００２２】
また、図３および図４に示すように、ＬＥＤ基板８の複数のＬＥＤ７が実装された表面（矢印Ｙ１方向側の面）には、複数のＬＥＤ７をそれぞれ覆う複数の拡散レンズ９が取り付けられている。この拡散レンズ９は、アクリルなどの樹脂により構成されており、ＬＥＤ７からの出射光を表示部１側に拡散する機能（図３の矢印付きの点線参照）を有する。なお、図３に示すように、拡散レンズ９の底面の中央部近傍（ＬＥＤ基板８の表面のＬＥＤ７に対応する位置）には、凹部９ａが設けられている。また、拡散レンズ９には、拡散レンズ９の底面からＬＥＤ基板８側に延びる柱状のボス９ｂが設けられており、このボス９ｂがＬＥＤ基板８の表面に接着されることにより、拡散レンズ９がＬＥＤ基板８の表面のＬＥＤ７に対応する位置に取り付けられている。
【００２３】
また、図３および図４に示すように、ＬＥＤ基板８と拡散レンズ９との間には、ＬＥＤ７からの光を表示部１側に反射する反射シート１０が配置されている。この反射シート１０と表示部１との間には、拡散レンズ９により拡散された光を表示部１側にさらに拡散する拡散板などの種々の光学部材（図示せず）が配置されている。
【００２４】
ここで、本実施形態では、図４〜図７に示すように、反射シート１０は、光反射性を有する１枚の樹脂製のシートが折り曲げられることにより構成されている。具体的には、反射シート１０は、リアフレーム４の表面（矢印Ｙ１方向側の面）上に配置される矩形状の底面部１１と、矩形状の底面部１１の４辺を取り囲むように配置される４つの側面部（一対の長辺側側面部１２および一対の短辺側側面部１３）とを含むように折り曲げられている。なお、図４および図５に示すように、反射シート１０の底面部１１の上下方向（Ｚ方向）の中央部よりも下側（矢印Ｚ２方向側）の部分には、複数のＬＥＤ７（拡散レンズ９）にそれぞれ対応する複数の穴部１０ａが左右方向（Ｘ方向）に間隔を隔てて一直線状に設けられている。
【００２５】
図５に示すように、底面部１１は、リアフレーム４の長手方向（Ｘ方向）に沿って延びる長方形形状を有する。また、一対の長辺側側面部１２は、底面部１１の一対の長辺（上下方向（Ｚ方向）の両側で左右方向（Ｘ方向）に延びる一対の辺）にそれぞれ接続されるとともに、一対の短辺側側面部１３は、底面部１１の一対の短辺（左右方向（Ｘ方向）の両側で上下方向（Ｚ方向）に延びる一対の辺）にそれぞれ接続されている。なお、底面部１１の下側（矢印Ｚ２方向側）の長辺に接続される長辺側側面部１２の上下方向の幅Ｗ１は、底面部１１の上側（矢印Ｚ１方向側）の長辺に接続される長辺側側面部１２の上下方向の幅Ｗ２よりも大きい。
【００２６】
図４に示すように、反射シート１０は、長辺側側面部１２および短辺側側面部１３の境界部分（矩形状の反射シート１０の４隅）にスリットが形成されることなく折り曲げられることより、リアフレーム４の表面上に配置された状態で、リアフレーム４に沿った形状（矢印Ｙ２方向側に窪む凹形状）を有するように構成されている。具体的には、図４〜図７に示すように、反射シート１０は、長辺側側面部１２および短辺側側面部１３の境界部分に形成され、形成時の開口が閉じられた光を通過させないミシン目１４ａと、底面部１１および長辺側側面部１２の境界部分に形成され、形成時の開口が閉じられた光を通過させないミシン目１４ｂとに沿って折り曲げられている。
【００２７】
ここで、図５および図６に示すように、一対の短辺側側面部１３の各々の上下方向（Ｚ方向）の中央部近傍には、反射シート１０が平板状に展開された状態で、短辺側側面部１３を第１部分１３ａおよび第２部分１３ｂに分離する第１スリット１５が形成されている。この第１スリット１５は、図５に示すように、底面部１１に設けられた複数の穴部１０ａよりも上側（矢印Ｚ１方向側）の短辺側側面部１３の位置（底面部１１の上下方向の中央部に対応する短辺側側面部１３の位置）において、短辺側側面部１３の延びる方向と交差する方向（Ｘ方向）に直線状に延びるように形成されている。
【００２８】
なお、図５および図６に示すように、第１部分１３ａおよび第２部分１３ｂは、共に、反射シート１０が平板状に展開された状態で、長辺側側面部１２の左右方向（Ｘ方向）の両端部から、上下方向（Ｚ方向）に対して外側（底面部１１とは反対側）に傾斜した方向に延びるように形成されている。また、第１部分１３ａは、反射シート１０が平板状に展開された状態で、第２部分１３ｂよりも下側（矢印Ｚ２方向側）に配置されている。また、第１部分１３ａの底面部１１とは反対側の外周部の第１スリット１５と交差する方向の長さＬ１（図５参照）は、第２部分１３ｂの底面部１１とは反対側の外周部の第１スリット１５と交差する方向の長さＬ２（図５参照）よりも大きくなるように形成されている。
【００２９】
図４および図７に示すように、第１部分１３ａおよび第２部分１３ｂの第１スリット１５側の端部近傍は、反射シート１０がリアフレーム４の表面上に配置された状態（反射シート１０がリアフレーム４の表面（矢印Ｙ１方向側の面）に沿った凹形状に形成された状態）で、互いにオーバーラップするように配置されている。このように反射シート１０がリアフレーム４の表面に沿った凹形状に形成された状態では、第１部分１３ａは、第２部分１３ｂよりも上側（内側）に配置されている。すなわち、反射シート１０がリアフレーム４の表面に沿った凹形状に形成された状態では、第１部分１３ａおよび第２部分１３ｂのうち、底面部１１とは反対側の外周部の第１スリット１５と交差する方向の長さが大きい方（Ｌ２よりも大きい長さＬ１（図５参照）を有する第１部分１３ａ）が上側に配置されている。なお、図６では、第２部分１３ｂの第１部分１３ａにオーバーラップするように配置される部分（第１部分１３ａよりも下側（外側）に配置される部分）を一点鎖線で取り囲むとともに斜線（ハッチング）を付している。
【００３０】
また、図５および図６に示すように、短辺側側面部１３と底面部１１との間には、上下方向（Ｚ方向）に延びる第２スリット１６が形成されている。そして、第１部分１３ａおよび第２部分１３ｂの第２スリット１６側の端部（矢印Ｘ２方向側の端部）には、それぞれ、反射シート１０がリアフレーム４の表面（矢印Ｙ１方向側の面）に沿った凹形状に形成された状態（図４および図７参照）で、底面部１１の第２スリット１６側の端部（矢印Ｘ１方向側）の背面（矢印Ｙ２方向側）に係合する第１係合部１７ａおよび第２係合部１７ｂが設けられている。なお、図６では、第１係合部１７ａおよび第２係合部１７ｂを二点鎖線で取り囲むとともに斜線（ハッチング）を付している。図７に示すように、第１係合部１７ａおよび第２係合部１７ｂは、共に、反射シート１０がリアフレーム４の表面に沿った凹形状に形成された状態で、底面部１１の背面よりも下側（矢印Ｙ２方向側）に入り込むことにより、底面部１１の背面に係合するように構成されている。
【００３１】
また、図４〜図７に示すように、長辺側側面部１２および短辺側側面部１３の各々の底面部１１とは反対側の外周部には、リアフレーム４の外周部に取り付けられる耳部１８が形成されている。また、耳部１８と長辺側側面部１２および短辺側側面部１３との境界部分には、それぞれ、耳部１８を長辺側側面部１２および短辺側側面部１３に対して外側に折り曲げるためのミシン目１４ｃが形成されている。このミシン目１４ｃも、上記ミシン目１４ａおよび１４ｂと同様に、ミシン目１４ｃの形成時の開口が閉じられることにより光を通過させないように構成されている。また、図５および図６に示すように、短辺側側面部１３の第２部分１３ｂの外周部に形成された耳部１８の第１スリット１５側の端部近傍は、第１部分１３ａおよび第２部分１３ｂの第１スリット１５側の端部近傍が互いにオーバーラップするように配置された状態（図４および図７参照）で、第１部分１３ａおよび第２部分１３ｂの耳部１８が互いにオーバーラップしないように除去されている。
【００３２】
本実施形態では、上記のように構成することによって、反射シート１０を底面部と４つの側面部（一対の長辺側側面部１２および一対の短辺側側面部１３）とを含むように折り曲げるために、反射シート１０の４隅（４つの側面部の境界部分）にスリットを形成する必要がないので、反射シート１０の４隅に隙間が生じることがない。これにより、反射シート１０の４隅に照射される光が漏れることなく全て反射されるので、表示画面の４隅が暗く表示されるのを抑制することができる。また、短辺側側面部１３の中央部近傍に、短辺側側面部１３を第１部分１３ａおよび第２部分１３ｂに分離する第１スリット１５を形成し、第１部分１３ａおよび第２部分１３ｂの第１スリット１５側の端部近傍を互いにオーバーラップするように配置することによって、第１スリット１５を介して隣接する第１部分１３ａおよび第２部分１３ｂの端辺同士が互いに接触するように配置される場合と異なり、第１部分１３ａと第２部分１３ｂとの境界部分に隙間ができるのを抑制することができるので、ＬＥＤ７からの光が第１部分１３ａと第２部分１３ｂとの境界部分の隙間から漏れるのを抑制することができる。これによっても、表示画面が暗く表示されるのを抑制することができる。
【００３３】
また、本実施形態では、上記のように、第１部分１３ａおよび第２部分１３ｂを有する短辺側側面部１３と底面部１１との間に第２スリット１６を形成し、第１部分１３ａおよび第２部分１３ｂの第２スリット１６側の端部に、それぞれ、底面部１１の第２スリット１６側の端部の背面（矢印Ｙ２方向側の面）に係合する第１係合部１７ａおよび第２係合部１７ｂを設ける。これにより、第１部分１３ａおよび第２部分１３ｂにそれぞれ設けられた第１係合部１７ａおよび第２係合部１７ｂと、底面部１１の第２スリット１６側の端部の背面とが係合することによって、短辺側側面部１３と底面部１１との間の第２スリット１６が広がって大きくなるのが抑制されるので、ＬＥＤ７からの光が第２スリット１６を介して漏れるのを抑制することができる。また、第２スリット１６が広がって大きくなることに起因して、第１部分１３ａと第２部分１３ｂとの重なりが解除されるのを抑制することもできる。
【００３４】
また、本実施形態では、上記のように、第１部分１３ａおよび第２部分１３ｂの底面部１１とは反対側の外周部に、リアフレーム４の外周部に取り付ける耳部１８を形成し、第１部分１３ａおよび第２部分１３ｂの第１スリット１５側の端部近傍が互いにオーバーラップするように配置された状態で、第１部分１３ａおよび第２部分１３ｂの外周部に形成された耳部１８が互いにオーバーラップしないように、第２部分１３ｂの外周部に形成された耳部１８の第１スリット１５側の端部近傍を除去する。これにより、第１部分１３ａおよび第２部分１３ｂの第１スリット１５側の端部近傍が互いにオーバーラップするように配置された場合でも、第１部分１３ａおよび第２部分１３ｂの外周部に形成された耳部１８の第１スリット１５側の端部近傍が互いにオーバーラップしないので、第１部分１３ａおよび第２部分１３ｂの外周部における耳部１８の厚みの均一化を図ることができる。
【００３５】
また、本実施形態では、上記のように、第１部分１３ａおよび第２部分１３ｂのうち、底面部１１とは反対側の外周部の第１スリット１５の延びる方向と交差する方向の長さが大きい方（第２部分１３ａの長さＬ２よりも大きい長さＬ１を有する第１部分１３ａ：図５参照）が上側（内側）に配置されるように、第１部分１３ａおよび第２部分１３ｂの第１スリット１５側の端部近傍を互いにオーバーラップするように配置する。これにより、第１部分１３ａおよび第２部分１３ｂのうちの撓みやすい方（底面部１１とは反対側の外周部の第１スリット１５の延びる方向と交差する方向の長さが第２部分１３ｂよりも大きい第１部分１３ａ）が、第１部分１３ａおよび第２部分１３ｂのうちの撓みにくい方（底面部１１とは反対側の外周部の第１スリット１５の延びる方向と交差する方向の長さが第１部分１３ａよりも小さい第２部分１３ｂ）によって下側（外側）から支持されるので、反射シート１０の形状の安定化を図ることができる。また、このように反射シート１０の形状の安定化を図ることにより、第１部分１３ａと第２部分１３ｂとの間に隙間が生じるのを抑制することができるので、ＬＥＤ７からの光が第１部分１３ａと第２部分１３ｂとの間の隙間から漏れるのを抑制することができる。
【００３６】
また、本実施形態では、上記のように、底面部１１を、一対の長辺および一対の短辺を有する長方形形状に形成し、第１スリット１５を、底面部１１の一対の短辺に対応する一対の短辺側側面部１３の両方に形成する。これにより、底面部１１の長辺に対応する長辺側側面部１２に第１スリット１５を形成する場合と異なり、第１スリット１５により分離される２つの部分（第１部分１３ａおよび第２部分１３ｂ）のそれぞれの外周部の第１スリット１５の延びる方向と交差する方向の長さ（Ｌ１およびＬ２：図５参照）が小さくなるので、第１部分１３ａおよび第２部分１３ｂを撓みにくくすることができる。これにより、反射シート１０の形状の安定化をより図ることができる。また、第１スリット１５を一対の短辺側側面部１３の両方に形成することによって、第１スリット１５が一対の短辺側側面部１３の一方にのみ形成されている場合と異なり、互いにオーバーラップするように配置される第１部分１３ａおよび第２部分１３ｂが底面部１１の一対の短辺の両側にバランスよく配置されるので、反射シート１０の形状の安定化をさらに図ることができる。
【００３７】
また、本実施形態では、上記のように、反射シート１０の４つの側面部（一対の長辺側側面部１２および一対の短辺側側面部１３）の境界部分に、形成時の開口が閉じられたミシン目１４ａを形成する。これにより、ミシン目１４ａの形成時の開口が閉じられていることによって、ミシン目１４ａから光が漏れるのを抑制しながら、ミシン目１４ａに沿って反射シート１０を折り曲げることによって、容易に、長方形形状の底面部１１と４つの側面部とを含む反射シート１０を構成することができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記実施形態では、本発明の表示装置の一例として液晶テレビジョン装置を用いる例を示したが、本発明はこれに限らない。本発明は、液晶テレビジョン装置以外にも、ＰＣ（Ｐｅｒｓｏｎａｌ  Ｃｏｍｐｕｔｅｒ）用のディスプレイ装置などの一般的な表示装置に適用可能である。
【００４０】
また、上記実施形態では、反射シートが折り曲げられる部分（４つの側面部の境界部分など）に、形成時の開口が閉じられたミシン目が形成された例を示したが、本発明はこれに限らない。本発明では、反射シートが折り曲げられる部分に、ミシン目ではなく、反射シートを折りやすくするための折り目（すじ）が形成されていてもよい。
【００４１】
また、上記実施形態では、第１スリットが短辺側側面部に形成された例を示したが、本発明はこれに限らない。本発明では、第１スリットが長辺側側面部に形成されていてもよい。たとえば、図８に示した第１変形例による反射シート１１０のように、第１スリット１１５が一対の長辺側側面部１１２の両方に設けられていてもよい。
【００４２】
図８に示すように、第１変形例による反射シート１１０は、左右方向（Ｘ方向）に延びる長方形形状の底面部１１と、底面部１１の４辺を取り囲むように配置される４つの側面部（一対の長辺側側面部１１２および一対の短辺側側面部１１３）とを含むように折り曲げ可能に構成されている。この第１変形例では、長辺側側面部１１２の左右方向（Ｘ方向）の中央部に、長辺側側面部１１２を第１部分１１２ａおよび第２部分１１２ｂに分離するように上下方向（Ｚ方向）に延びる第１スリット１１５が形成されている。また、第１変形例では、長辺側側面部１１２と底面部１１との間に、左右方向に延びる第２スリット１１６が形成されている。
【００４３】
第１変形例では、上記のように、第１スリット１１５を長辺側側面部１１２に形成することによって、第１スリット１１５により、短辺側側面部１１３よりも長いことに起因して元々撓みやすい長辺側側面部１１２を、長辺側側面部１１２よりも短い（撓みにくい）第１部分１１２ａおよび第２部分１１２ｂに分離することができるので、長辺側側面部１１２の撓みを抑制することができる。
【００４４】
また、本発明では、第１スリットが一対の短辺側側面部の両方に形成された例を示したが、本発明はこれに限らない。本発明では、一対の短辺側側面部のうちの一方にのみ形成されていてもよい。また、本発明では、図９に示した第２変形例による反射シート２１０のように、第１スリット２１５が一対の長辺側側面部２１５のうちの一方にのみ形成されていてもよい。
【００４５】
図９に示すように、第２変形例による反射シート２１０は、左右方向（Ｘ方向）に延びる長方形形状の底面部１１と、底面部１１の４辺を取り囲むように配置される４つの側面部（一対の長辺側側面部２１２および一対の短辺側側面部２１３）とを含むように折り曲げ可能に構成されている。この第２変形例では、一対の長辺側側面部２１２のうちの下側（矢印Ｚ２方向側）の長辺側側面部２１２にのみ、長辺側側面部２１２を第１部分２１２ａおよび第２部分２１２ｂに分離するように上下方向（Ｚ方向）に延びる第１スリット２１５が形成されている。また、第２変形例では、第１スリット２１５が形成された長辺側側面部２１２と底面部１１との間に、左右方向に延びる第２スリット２１６ａが形成されているとともに、一対の短辺側側面部２１３の各々と底面部１１との間に、上下方向に延びるスリット２１６ｂが形成されている。
【００４６】
第２変形例では、上記のように、第１スリット２１５を一対の長辺側側面部２１２のうちの一方にのみ形成することによって、第１スリット１１５が一対の長辺側側面部１１２の両方に形成された上記第１変形例（図８参照）と異なり、第１スリット２１５により分離される箇所が少なくなるので、第１スリット２１５の存在に起因して隙間が生じやすい部分（第１部分２１２ａと第２部分２１２ｂとの間の部分）の個数を少なくすることができる。これにより、第１部分２１２ａと第２部分２１２ｂとの間の隙間から光が漏れるのをより抑制することができる。
【００４７】
また、上記実施形態では、光反射性を有する１枚の樹脂製のシートが折り曲げられることにより構成された反射シートを示したが、本発明はこれに限らない。本発明では、図１０に示した第３変形例のように、反射シート３１０が２枚の反射シート３１０ａおよび３１０ｂの組み合わせにより構成されていてもよい。
【００４８】
図１０に示すように、第３変形例による反射シート３１０ａ（３１０ｂ）は、左右方向（Ｘ方向）に延びる長方形形状を有する底面部３１１ａ（３１１ｂ）と、底面部３１１ａ（３１１ｂ）の底面部３１１ｂ（３１１ａ）とは反対側の１つの長辺に接続された長辺側側面部３１２ａ（３１２ｂ）と、底面部３１１ａ（３１１ｂ）の一対の短辺および長辺側側面部３１２ａ（３１２ｂ）に接続された一対の短辺側側面部３１３ａ（３１３ｂ）とを含む。そして、反射シート３１０ａの短辺側側面部３１３ａの上端部近傍（矢印Ｚ１方向側の端部近傍）と、反射シート３１０ｂの短辺側側面部３１３ｂの下端部近傍（矢印Ｚ２方向側の端部近傍）とは、反射シート３１０ａと３１０ｂとが互いに組み合わさった状態で、互いにオーバーラップするように構成されている。なお、短辺側側面部３１３ａおよび３１３ｂは、それぞれ、本発明の「第１部分」および「第２部分」の一例である。
【００４９】
また、第３変形例では、反射シート３１０ａの短辺側側面部３１３ａの上側（矢印Ｚ１方向側）の端辺と、反射シート３１０ｂの短辺側側面部３１３ｂの下側（矢印Ｚ２方向側）の端辺とは、反射シート３１０ａおよび３１０ｂが平板状に展開された状態で、左右方向（Ｘ方向）に延びる第１スリット３１５を隔てて対向するように配置されている。また、第３変形例では、反射シート３１０ａの短辺側側面部３１３ａと底面部３１１ａとの間、および、反射シート３１０ｂの短辺側側面部３１３ｂと底面部３１１ｂとの間には、それぞれ、上下方向（Ｚ方向）に延びる第２スリット３１６ａおよび３１６ｂが形成されている。ここで、第３変形例では、反射シート３１０ａ（３１０ｂ）は、長辺側側面部３１２ａ（３１２ｂ）と短辺側側面部３１３ａ（３１３ｂ）との境界部分にスリットが形成されることなく折り曲げられている。これにより、第３変形例においても、上記実施形態と同様に、反射シート３１０の４隅に隙間が生じることがないので、表示画面の４隅が暗く表示されるのを抑制することができる。
【００５０】
また、上記実施形態では、反射シート１０の底面部１１の上下方向（Ｚ方向）の中央部に対応する短辺側側面部１３の位置に第１スリット１５が配置された例を示したが、本発明はこれに限らない。本発明では、図１１に示した第４変形例による反射シート４１０のように、反射シート４１０の底面部１１の下端部（矢印Ｚ２方向側の端部）に対応する短辺側側面部４１３の位置に第１スリット１５が配置されていてもよい。
【００５１】
図１１に示すように、第４変形例による第１スリット１５は、短辺側側面部４１３を第１部分４１３ａおよび第２部分４１３ｂに分離するように形成されている。なお、第１部分４１３ａは、第２部分４１３ｂよりも下側（矢印Ｚ２方向側）に配置されている。ここで、第４変形例では、第１部分４１３ａおよび第２部分４１３ｂの第１スリット１５側の端部近傍が互いにオーバーラップするように配置された状態で、第２部分４１３ｂが第１部分４１３ａよりも上側（内側）に配置されるように構成されている。これにより、第１部分１３ａが第２部分１３ｂよりも上側（内側）に配置される上記実施形態（図７参照）と異なり、外周部の長さが第１部分４１３ａよりも小さいことに起因して撓みにくい第２部分４１３ｂによって、第１部分４１３ａを上側（内側）からリアフレーム４（図４参照）側に抑え込むことができるので、容易に、反射シート４１０をリアフレーム４に沿った形状にすることができる。
【００５２】
また、本発明では、図１２に示した第５変形例による反射シート５１０のように、反射シート５１０の底面部１１の上端部（矢印Ｚ１方向側の端部）に対応する短辺側側面部５１３の位置に第１スリット１５が配置されていてもよい。
【００５３】
図１２に示すように、第５変形例による第１スリット１５は、短辺側側面部５１３を第１部分５１３ａおよび第２部分５１３ｂに分離するように形成されている。なお、第１部分５１３ａは、第２部分５１３ｂよりも下側（矢印Ｚ２方向側）に配置されている。ここで、第５変形例では、底面部１１の上下方向の中央部に対応する短辺側側面部１３の位置に第１スリット１５が配置された上記実施形態（図５参照）に比べて、第１部分５１３ａおよび５１３ｂの外周部の上下方向に対する傾斜角度が小さい。これにより、第５変形例では、反射シート５１０が平板状に展開された際の平面積が上記実施形態に比べて小さくなるので、光反射性を有する１枚の大きい樹脂製のシートを打ち抜いて反射シート５１０を形成する場合に、１枚の大きい樹脂製のシートを効率よく使用することができる。
【００５４】
また、上記実施形態では、短辺側側面部１３の中央部近傍にスリット（第１スリット１５）が形成された反射シート１０を用いる例を示したが、本発明はこれに限らない。本発明では、図１３に示した第６変形例のように、短辺側側面部６１３の中央部近傍に折り目６１５が形成された反射シート６１０を用いてもよい。なお、図１３では、上記実施形態の穴部１０ａ（図５参照）に対応する穴部の図示を省略している。この第６変形例においても、上記実施形態と同様に、反射シート６１０が底面部１１と４つの側面部（一対の長辺側側面部６１２および一対の短辺側側面部６１３）とを含むように凹形状に折り曲げられた場合に、反射シート６１０の４隅（４つの側面部の境界部分）に隙間が生じることがないので、反射シート６１０の４隅に照射される光が漏れることなく全て反射され、その結果、表示画面の４隅が暗く表示されるのを抑制することができる。
【００５５】
ここで、図１３に示した第６変形例では、反射シート６１０のどの部分にもスリットを形成しないので、反射シート６１０を凹形状に折り曲げた場合でも、スリットに起因する隙間が生じることがない。これにより、スリットに起因して生じる隙間が広がって反射シート６１０の全体的な形状が崩れるのを抑制することができるので、反射シート６１０の全体的な形状を容易に維持することができる。
【００５６】
また、本発明では、図１４に示した第７変形例のように、長辺側側面部７１２と短辺側側面部７１３との両方に折り目７１５が形成された反射シート７１０を用いてもよい。なお、図１４においても、上記図１３と同様に、上記実施形態の穴部１０ａ（図５参照）に対応する穴部の図示を省略している。図１４に示した第７変形例においても、上記図１３に示した第６変形例と同様に、反射シート７１０のどの部分にもスリットが形成されていないので、スリットに起因する隙間が生じることがなく、その結果、表示画面が暗く表示されるのを抑制することができるとともに、反射シート７１０の全体的な形状を容易に維持することができる。
【符号の説明】
【００５７】
１  表示部
４  リアフレーム（背面側支持部材）
７  ＬＥＤ（光源）
１０、１１０、２１０、３１０、４１０、５１０、６１０、７１０  反射シート
１１、３１１ａ、３１１ｂ  底面部
１２、１１２、２１２、３１２ａ、３１２ｂ、６１２、７１２  長辺側側面部（側面部）
１３、１１３、２１３、４１３、５１３、６１３、７１３  短辺側側面部（側面部）
１３ａ、１１２ａ、２１２ａ、４１３ａ、５１３ａ  第１部分
１３ｂ、１１２ｂ、２１２ｂ、４１３ｂ、５１３ｂ  第２部分
１４ａ  ミシン目
１５、１１５、２１５、３１５  第１スリット
６１５、７１５  折り目
１６、１１６、２１６、３１６ａ、３１６ｂ  第２スリット
１７ａ  第１係合部
１７ｂ  第２係合部
１８  耳部
１００  液晶テレビジョン装置（表示装置）
３１３ａ  短辺側側面部（側面部、第１部分）
３１３ｂ  短辺側側面部（側面部、第２部分）
【図１】
2014153395.tif 000003
【図２】
2014153395.tif 000004
【図３】
2014153395.tif 000005
【図４】
2014153395.tif 000006
【図５】
2014153395.tif 000007
【図６】
2014153395.tif 000008
【図７】
2014153395.tif 000009
【図８】
2014153395.tif 000010
【図９】
2014153395.tif 000011
【図１０】
2014153395.tif 000012
【図１１】
2014153395.tif 000013
【図１２】
2014153395.tif 000014
【図１３】
2014153395.tif 000015
【図１４】
2014153395.tif 000016